(57)【要約】【課題】よりペットの興味を惹くような、今までにない構造のペット用玩具を提供する。【解決手段】ペット用玩具１は、可撓性を有する素材からなる袋体２と、可撓性を有する素材からなり、折り畳まれて前記袋体２の内部に収納される帯状部材３と、を備え、帯状部材３には、ペットに与える餌Ｆを取り付ける餌取付部３１が設けられる。【選択図】図１
2014135931.tif 000002
【特許請求の範囲】
【請求項１】
可撓性を有する素材からなる袋体と、
可撓性を有する素材からなり、折り畳まれて前記袋体の内部に収納される帯状部材と、を備えることを特徴とするペット用玩具。
【請求項２】
前記帯状部材には、ペットに与える餌を取り付ける餌取付部が設けられることを特徴とする請求項１に記載のペット用玩具。
【請求項３】
前記餌取付部は、袋状に形成されてなることを特徴とする請求項２に記載のペット用玩具。
【請求項４】
前記袋体及び前記帯状部材は、布帛からなることを特徴とする請求項１〜３のいずれかに記載のペット用玩具。
【請求項５】
前記袋体には、音を出力する音出力部材が設けられてなることを特徴とする請求項１〜４のいずれかに記載のペット用玩具。
【発明の詳細な説明】
【技術分野】
【０００１】
本発明は、ペット用の知育玩具に関する。
【背景技術】
【０００２】
従来、家庭で飼われている犬や猫などのペットに対し、遊ばせながら餌を与えることができる玩具が知られている。
【０００３】
近年では、ペット用の玩具においても、知能的発達を促進するための玩具、所謂、ペット用の知育玩具の人気が高まっており、例えば、ＡＢＳ樹脂やポリプロピレン樹脂などの合成樹脂からなり、内部に餌を入れた状態で転がして遊ばせる玩具が提案されている（特許文献１参照）。
【先行技術文献】
【特許文献】
【０００４】
【特許文献１】特許第４４１３９６２号
【発明の概要】
【発明が解決しようとする課題】
【０００５】
しかしながら、よりペットの興味を惹き付けるような、今までにない構造の玩具が求められている。
【０００６】
そこで、本発明者等は、ペットの習性を分析することにより、ペットが、収納されている長尺状の物体を自身で引っ張り出す行為を好むことを見出した。
【課題を解決するための手段】
【０００７】
本発明は、上述した知見に基づき、よりペットの興味を惹き付けるような、今までにない構造のペット用玩具の提供を目的とする。
【０００８】
即ち、本発明は下記［１］〜［５］に記載の構成を有する。
【０００９】
［１］  可撓性を有する素材からなる袋体と、
可撓性を有する素材からなり、折り畳まれて前記袋体の内部に収納される帯状部材と、を備えることを特徴とするペット用玩具。
【００１０】
［２］  前記帯状部材には、ペットに与える餌を取り付ける餌取付部が設けられることを特徴とする前項１に記載のペット用玩具。
【００１１】
［３］  前記餌取付部は、袋状に形成されてなることを特徴とする前項２に記載のペット用玩具。
【００１２】
［４］  前記袋体及び前記帯状部材は、布帛からなることを特徴とする前項１〜３のいずれかに記載のペット用玩具。
【００１３】
［５］  前記袋体には、音を出力する音出力部材が設けられてなることを特徴とする前項１〜４のいずれかに記載のペット用玩具。
【発明の効果】
【００１４】
上記［１］に記載の発明によれば、可撓性を有する素材からなる袋体と、可撓性を有する素材からなり、折り畳まれて袋体の内部に収納される帯状部材と、を備えるので、よりペットの興味を惹き付けることができる上、遊んでいるペットを見て飼い主が一緒に楽しむことのできる、今までにない新しい構造のペット用玩具を得られる。
【００１５】
上記［２］に記載の発明によれば、帯状部材には、ペットに与える餌を取り付ける餌取付部が設けられるので、餌を取り付けることによってペットの興味を更に惹き付けることができ、袋体の内部に収納された帯状部材をペットが遊びながら自ら取り出し、帯状部材に取り付けられた餌を取り出して食べることができる。
【００１６】
上記［３］に記載の発明によれば、餌取付部は、袋状に形成されてなるので、袋内に入れた餌が零れたりする虞が少ない。
【００１７】
上記［４］に記載の発明によれば、袋体及び帯状部材が布帛からなるので、柔らかい素材が使用されることによって、安心してペットを遊ばせることができる上、洗濯するなどして衛生的に保つことができる。
【００１８】
上記［５］に記載の発明によれば、袋体に音を出力する音出力部材が設けられてなるので、袋体から出力される音によってペットの興味をより惹きつけることができる。
【図面の簡単な説明】
【００１９】
【図１】本発明に係るペット用玩具の構成図である。
【図２】本発明に係るペット用玩具の断面図である。
【図３】本発明に係るペット用玩具の背面斜視図である。
【図４】本発明に係るペット用玩具の使用方法説明図である。
【発明を実施するための形態】
【００２０】
以下、図面を参照して、本発明の実施形態について説明する。
【００２１】
図１は、ペット用玩具１の構成図、図２は、ペット用玩具１の断面図、図３は、ペット用玩具１の背面斜視図、図４は、ペット用玩具１の使用方法説明図である。
【００２２】
本発明のペット用玩具１は、遊ばせながら犬や猫などのペットに餌Ｆを与えることができる玩具であり、可撓性を有する素材からなる袋体２及び帯状部材３を備えている。
【００２３】
袋体２は、布帛からなり、外観を形成する袋本体２１の一部が開口した開口部２２を有する袋状に形成されている。
【００２４】
袋体２は、約１０ｃｍ程度の大きさの略球状に形成されており、開口部２２は、例えば、長径が約３ｃｍ〜４ｃｍ、短径が約１．５ｃｍ〜２ｃｍ程度の楕円状に開口している。
【００２５】
開口部２２は、開口縁部に設けられた孔にゴムなど紐状の伸縮性部材が通され、伸縮自在に開口するように構成されている。
【００２６】
袋本体２１の内側には、後述する帯状部材３が折り畳まれて収納される収納部２３が設けられており、帯状部材３は開口部２２を介して収納部２３に収納される。
【００２７】
尚、折り畳むとは、図示するように均等な間隔に折り重ねて畳む以外の態様も含み、以降では、収納部２３に収納された全ての状態が、帯状部材３が折り畳まれた状態に含まれるものとして説明する。
【００２８】
袋体２は、袋本体２１と収納部２３との２重袋になっており、袋本体２１と収納部２３の間には、クッション材としての弾性材料が充填されているので、取り扱い易い上、使用時の安全性が高められている。
【００２９】
尚、開口部２２の形状や寸法は、上述したものに限定されるものではなく、少なくとも折り畳んだ帯状部材３を挿入可能であり、挿入した帯状部材３が容易に袋体２の外側へ飛び出ないような形状と寸法に設定されていればよい。
【００３０】
袋体２の収納部２３には、音を出力する音出力部材４が設けられており、例えば、ペットが遊んでいる際に袋体２を押圧するなどして音が出力されるような部材が用いられている。
【００３１】
袋体２に音出力部材４が設けられてなることにより、袋体２から出力される音によってペットの興味をより惹きつけることができる。更に、押圧した時のみに音が出力されるなど、特定の操作などがなされた場合にのみ音が出力されるような仕様であれば、更にペットが興味を失い難い。
【００３２】
尚、音出力部材４は、押圧することで音が出力されるものだけでなく、ペット用玩具１が揺動されることによって鳴動する鈴などが取り付けられるのであってもよいし、また、動物の吠え声や飼い主の声などの音声データを出力する部材が取り付けられるのであってもよく、少なくとも音が出力されるものであれば、音出力部材４の構造や音の種類は特に限定されるものではない。
【００３３】
帯状部材３は、袋体２と同様、布帛からなり、図１からわかるように、帯状部材３は、伸ばした状態で直線状に形成されている。
【００３４】
帯状部材３及び袋体２が布帛からなるので、室内であっても床材が傷付く虞がなく、遊ばせる際に生じる音も気にする必要がないため好ましい。
【００３５】
帯状部材３は、例えば、長手方向の寸法が約１００ｃｍ、短手方向の寸法が約４．５ｃｍに設定される。
【００３６】
尚、帯状部材３は、例えば、伸ばした状態で湾曲した形状に形成されるのであってもよく、袋体２の収納部２３に収納可能な形状に形成されていればよく、特に限定されるものではない。また、帯状部材３の長手方向及び短手方向の寸法についても、上述した寸法に限定されるものではない。
【００３７】
図２に示すように、折り畳まれた帯状部材３は、その短手方向が開口部２２の長径と平行する向きで収納され、帯状部材３の短手方向の寸法は開口部２２の長径よりも若干長くなるように設定されている。
【００３８】
開口部２２が伸縮自在に開口するように構成されているので、帯状部材３の短手方向寸法が、収納部２３の長径よりも若干長く設定されていても、帯状部材３を収納部２３に容易に収納することができる。
【００３９】
また、帯状部材３の短手方向寸法が収納部２３の長径よりも若干長くなっているので、開口部２２を伸長させて帯状部材３を取り出すなどしない限り、ペットが袋体２を振り回したりしても、収納した帯状部材３が簡単に収納部２３から飛び出す虞がない。
【００４０】
帯状部材３の一端には、ペットに与える餌Ｆを取り付けることができるように餌取付部３１が設けられている。
【００４１】
餌取付部３１は、例えば、帯状部材３の端部の一部が開口した状態に縫着された袋状に形成されている。
【００４２】
餌取付部３１の開口は、帯状部材３の長手方向に沿って設けられており、餌Ｆを入れるための餌投入口３２となっている。
【００４３】
餌投入口３２は、開口端部の一部が縫着されて餌取付部３１の最大幅寸法よりも狭くなるように設定されている。
【００４４】
餌取付部３１への出入口となる餌投入口３２の寸法が、餌取付部３１の幅寸法よりも小さくなるように設定されているので、餌取付部３１に入れ込んだ餌Ｆが外部に零れにくくなっている。
【００４５】
このように、帯状部材には、ペットに与える餌を取り付ける餌取付部が設けられているので、餌を取り付けることによってペットの興味を更に惹き付けることができ、袋体２の内部に収納された帯状部材３をペットが遊びながら自ら取り出し、帯状部材３に取り付けられた餌Ｆを取り出して食べることができる。
【００４６】
また、餌取付部３１は、袋状に形成されているので、袋内に入れた餌Ｆが零れたりする虞が少ない。
【００４７】
以降では、ペット用玩具１の使用方法について説明する。
【００４８】
図２に示すように、餌取付部３１に餌Ｆを入れた状態の帯状部材３を小さく折り畳み、袋体２の開口部２２に折り畳んだ帯状部材３を挿入して、収納部２３に収納する。
【００４９】
図４に示すように、餌Ｆを入れた帯状部材３が収納された玩具１でペットＤを遊ばせると、餌取付部３１に取り付けた餌Ｆの匂いに誘われたペットＤは、前足で袋体２を押さえつけ、鼻先で開口部２２の奥に収納されている帯状部材３を引っ張り出すなどして、餌取付部３１に取り付けられた餌Ｆを食すことができる。
【００５０】
帯状部材３を容易に引っ張り出せない場合であっても、押さえつけられた袋体２内の音出力部材４によって音が出力されるので、ペットの興味が失われ難い。
【００５１】
帯状部材３を収納部２３に収納する際は、ペットＤが帯状部材３を引っ張り出し易くなるため、帯状部材３の餌取付部３１を備えない側の端部を、開口部２２から少しだけ覗かせておくことが好ましい。
【００５２】
無論、帯状部材３を全て収納部２３に収納した状態で遊ばせるのであってもよく、帯状部材３の収納状態は、ペット用玩具１に対するペットＤの慣れなどに合わせて適宜調整して設定すればよい。
【００５３】
上述では、ペットＤの興味をより惹き付けるように餌取付部３１に餌Ｆを入れて使用するよう説明したが、勿論、帯状部材３に餌Ｆを入れずに収納部２３に収納するのであってもよい。
【００５４】
餌Ｆの入っていない帯状部材３が収納されているのであっても、犬や猫などのペットＤは、長尺状の物体を自身で引っ張り出す行為を好む傾向があるため、帯状部材３を引っ張り出して遊ばせることで、ペットＤを楽しませることができる。
【００５５】
上述したように、袋体２及び帯状部材３が布帛からなれば、柔らかい素材が使用されることによって、安心してペットを遊ばせることができる上、洗濯するなどして衛生的に保つことができるので、本発明の袋体２及び帯状部材３に用いられる素材は、布帛が好適であるが、ペットが遊ぶ際に噛みついたり、押し付けたりするなどして変形する場合であっても問題なく耐え得る素材であれば、布帛以外の素材であってもよく、特に限定されるものではない。勿論、布帛を用いる場合、布帛の種類についても特に限定されるものではない。
【００５６】
また、室内であっても床材が傷付く虞がなく、遊ばせる際に生じる音も気にする必要がない素材が用いられることが好ましいが、上述したように、このような素材に限定されるものではない。
【００５７】
また、袋体２及び帯状部材３は、必ずしも同一の素材から形成されるのでなくてもよい。
【００５８】
上述したように、袋体２には、音出力部材４が設けられることが好適であるが、音出力部材４は、本発明のペット用玩具１において必須の構成ではない。
【００５９】
また、袋体２は、動物を模した形状に限定されるものではなく、サッカーボールなどの物品や単なる球状であってもよく、少なくとも帯状部材３を収納可能な収納部２３が設けられている構成であればよい。尚、袋体２の寸法は、玩具を使用する対象に適する寸法に適宜設定されるとよい。
【００６０】
上述では、帯状部材３の一端にのみ餌取付部３１が設けられるように説明したが、帯状部材３の複数箇所に餌取付部３１が設けられるのであってもよく、また、餌取付部３１は、一端だけに設けられるのではなく、帯状部材３の中央部に設けられるなどの構成であってもよい。
【００６１】
更に、餌取付部３１は、袋状に形成されるものに限定されるものではなく、例えば、餌Ｆを縛って取り付けるような紐状体が設けられるものであってもよいし、餌Ｆを挟むクリップなどが設けられた構成であってもよく、帯状部材３に餌Ｆを取り付けられるような構成であれば特に限定されるものではない。
【００６２】
以上説明したように、可撓性を有する素材からなる袋体２と、可撓性を有する素材からなり、折り畳まれて前記袋体２の内部に収納される帯状部材３と、を備えるので、よりペットの興味を惹き付けることができる上、遊んでいるペットを見て飼い主が一緒に楽しむことのできる、今までにない新しい構造のペット用玩具１を得られる。
【００６３】
以上説明した実施形態は、本発明の一例に過ぎず、本発明の作用効果を奏する範囲において具体的構成などを適宜変更設計できることは言うまでもない。
【符号の説明】
【００６４】
１…ペット用玩具
２…袋体
３…帯状部材
４…音出力部材
３１…餌取付部
【図１】
2014135931.tif 000003
【図２】
2014135931.tif 000004
【図３】
2014135931.tif 000005
【図４】
2014135931.tif 000006